(57)【要約】【課題】  清掃において、洗い絞りの簡単な雑巾を一度の取り付けで大部分の拭き面として、支障を来たさないで多用途の使用を可能にされる。【解決手段】  モップ基台には、上部に長柄と、一方端の両側に貫通した軸穴と、反対方向の上面端に掛止部と、両側面にストパーと兼用される凸条と、下向きの開口部に上部が固定された板状の軟性部材が下位置に下がって設けられ、軸穴に取り付けられた左右のアームが平行して曲げられモップ基台の下方に下がって両端に合わせて曲げられ、接続部を有して回動自在に延長され、延長アームが立ち上がって係止部が掛止部に係止できるように回動自在に左右のアームが延長されて設けられ、構成されたモップ装置を逆様にして上部になった軟性部材の上面と両側面を雑巾て覆って、軸穴に取り付けた左右のアームを基台上方を回動させ雑巾を挟み込み係止部を掛止部に係止させることで雑巾の着脱が可能にされる。【選択図】図１
2019013720.tif 000002
【特許請求の範囲】
【請求項１】
モップ基台と、該モップ基台の上部に棒状の長柄と、前記モップ基台の一方の端部に両側に貫通した軸穴と、反対方向の上面端部に掛止部が設けられ、
前記モップ基台の下部の開口部に上部を固定した板状の軟性部材が下位置に下がって設けられ、
前記軸穴にアームを差し込み通り抜けた部分と残りが、前記モップ基台の巾の左右からアームが両側に沿って下方に平行して曲げられて回動自在に設けられ、
前記アームが下方を回動させる左右に対して前記軟性部材を覆う雑巾の厚みにより着脱できる選択された間隔と、前記モップ基台の下側から下がり間隔が決められ、
前記モップ基台の両端に合わせて前記アームの左右が平行して曲げられた端部に接続部が形成され、
前記左右の接続部から平行して延長される前記アームの左右の間隔で、延長アームの左右が平行して曲げられて係止部が設けられ、
前記係止部の両端部分に股がって操作  バンドが回動自在に設けられ、
前記接続部を下がり間隔にした状態で、前記掛止部に前記係止部を係止させ前記延長アームが曲げられた左右を下方にして接続部に交わる部分の左右が延長接続部分に形成され、
前記接続部に前記延長接続部分の左右が平行して回動自在に取り付けられ、
前記軸穴から前記アームの左右が平行して前記モップ基台の下方を回動自在に延長されて設けられ、
前記軟性部材の下面と両側面を覆う前記雑巾を、前記軸穴から前記アームの左右が回動して雑巾を挟み込み前記掛止部に前記係止部を取り付け取り外し自在にすることで雑巾の着脱を可能にさせ、
前記モップ基台の両側面に前記アームの回動を制御する凸条のストパーを形成して設けたことを特徴とするモップ装置。
【請求項２】
前記モップ基台の両側面に、前記アームの左右の回動を制御する前記ストパーと、アームにより清掃する拭き面に対して支障を来たさないように兼用される前記凸条の出っ張りを設けた請求項１に記載のモップ装置。
【請求項３】
前記アームの回動を操作する、前記係止部の両端部分に股がって前記操作、バンドを設けた請求項１あるいは２に記載のモップ装置。
【発明の詳細な説明】
【技術分野】
【０００１】  本発明は、一般家庭の便利さを図った拭き清掃のモップに関する。
【背景技術】
【００２】  従来の拭き清掃モップは、使い捨ての清掃シート、また雑巾もある。【０００３】  また、従来のモップ基部の両側にあるシート係止部の４箇所に使い捨てのシート、または雑巾を取り付けて拭き清掃がされている。
【先行技術文献】
【特許文献】
【０００４】
【特許文献１】特開平２０１５−１３０９８号公報
【発明の概要】
【発明が解決しようとする課題】
【０００５】  以上に述べた従来の掃除用モップでは、モップ基部の両側の係止部に４箇所元清掃シート、または雑巾の一度の取り付けでその一面の一部分しか拭き面の使用部分になっていない。【０００６】  本発明は、従来の問題を解決するものであり、一度の雑巾の簡単な取り付けで雑巾の両面の大部分を拭き面とすることを目的とする。
【課題を解決するための手段】
【０００７】  本発明は、上記の目的を達成するためにモップ基台と該モップ基台の上部に棒状の長柄と、前記モップ基台の一方の端部に両側に貫通した軸穴と、反対方向の上面端部に掛止部が設けられ、前記モップ基台の下部の開口部に上部を固定した板状の軟性部材が下位置に下がって設けられ、前記軸穴にアームを差し込み通り抜けた部分と残りが、前記モップ基台巾の左右からアームが両側に沿って下方に平行して曲げられて回動自在に設けられ、前記アームが下方を回動させる左右に対して前記軟性部材を覆う雑巾の厚みにより着脱できる選択された間隔と、前記モップ基台の下側から下がり間隔が決められ、前記モップ基台の両端に合わせて前記アームの左右が平行して曲げられた端部に接続部が形成され、前記左右の接続部から平行して延長される前記アームの左右の間隔で、延長アームの左右が平行して曲げられて係止部が設けられ、前記係止部の両端部分に股がって操作バンドが回動自在に設けられ、前記接続部を下がり間隔にした状態で、前記掛止部に前記係止部を係止させ前記延長アームが曲げられた左右を下方にして接続部に交わる部分の左右が延長接続部分に形成され、前記接続部に前記延長接続部分の左右が平行して回動自在に取り付けられ、前記軸穴から前記アームの左右が平行して前記モップ基台の下方を回動自在に延長されて設けられ、前記軟性部材の下面と両側面を覆う前記雑巾を、前記軸穴から前記アームの左右が回動して雑巾を挟み込み前記掛止部に前記係止部を取り付け取り外し自在にすることで雑巾の着脱を可能にさせ、前記モップ基台の両側面に前記アームの回動を制御する凸条のストパーを形成して設けたものである。
【発明の効果】
【０００８】  本発明は、拭き清掃の際にストパーの軟質材凸条と、軟性部材の下がった下端の出っ張りにより、左右のアームが拭き面に対して支障を来たさないように触れないようにされている。【０００９】  また、係止部を掛止部に係止させた状態で自然に外れたりしないように回動途中でアームの左右には凸条のストパーが掛かり、アームの弾力性を有して係止部を掛止部に取り付け取り外し自在に係止させている。【００１０】  本発明は、モップ基台に着脱自在に取り付けて拭き清掃に使用されるものは、水洗いと水絞りが簡単にできる市販されている雑巾が主体であるが、使い古しのタオルでも長い部分をモップ基台の長手方向に合わせて折り畳み取り付けて使用可能である。
【図面の簡単な説明】
【００１１】
【図１】本発明の実施形態を示すモップ装置の斜視図
【図２】本発明の実施形態の雑巾を取り除いた状態のモップ装置の斜視図
【図３】モップ装置を逆様にして、上部にされた軟性部材の上面から両側面を覆った雑巾を左右のアームが回動して取り付ける前の状態を示す、一方端側の斜め上から見た図
【図４】モップ基台の両側に設けた凸条のストパーが軸穴から下がった部分の左右のアームにストパーされた状態を示す側面図
【図５】本発明の拭き清掃において、軟性部材の下がり下端部分と、凸条の出っ張りにより、アームが拭き面に対して触ない状態を示す側面図
【発明を実施するための形態】
【００１２】  以下、本発明の実施形態を図１〜図５に基づいて説明する。
【００１３】  図においては、モップ基台１、長柄１０、アーム４、５、軟性部材２、凸条１ａ、雑巾Ｍ、から構成されている。モップ基台１は下方に向けて開口を有する断面コ字状の長箱状に形成された合成樹脂であり、このモップ基台１の上部に長柄１０の元部１０ａを有して長柄１０がモップ基台１の長手方向の左右元元部１０ａから自在に折り曲がように取り付けられいる。
【００１４】  また、モップ基台１の下方を向く開口部１ｃには、合成樹脂発泡体で弾力性を有する板状の軟性部材２の上部が内挿され固定されている。
【００１５】  また、軟性部材２の長手方向の長さは、モップ基台１の長手方向の長さより長くされておりモップ基台１の両端よりはみ出して下部はモップ基台１の下部より下位置に下がって設けられている。
【００１６】  また、モップ基台１の一方端にはアーム４、５を回動自在に取り付ける両側に貫通した軸穴３が設けられ、反対方向の上面端には係止部６ｂを取り付け取り外し自在にする掛止部８が設けられている。
【００１７】  また、図２、図３に示すように軸穴３にアーム４を差し込み通り抜けた部分と残りがモップ基台１の巾の左右からアームの左右４ａ、５ａ部分が両端に沿って下方に平行して曲げられて回動左右に設けられている。
【００１８】  また、前記アームの左右４、５が図２、図４に示すように、モップ基台１の下側から軟性部材２側に下がった間隔と、アームの左右４、５に対して軟性部材２の両側を回動させる間隔が、軟性部材２の下面と両側面を覆う雑巾Ｍの厚さを選択された左右のアーム４・５との間隔を有して、モップ基台１の一方端から反対方向にそれらの間隔を合わせてアームの左右４ｂ、５ｂ部分が平行して曲げられた端にモップ基台１の反対端に合わせて接続部４ｃ、５ｃが左右に設けられている。
【００１９】  また、左右の接続部４ｃ、５ｃから延長される延長アームの一方端に延長接続部分６ｃ、６ｃを有して、接続部４と延長接続部分６ｃを軸材９で回動自在に左右が同じくして取り付けられ、接続部４ｃ、５ｃをモップ基台１の下側から下がり位置にした状態で、取り付けられた延長アームの左右６−６ａの両端部が掛止部８に取り付け取り外し自在にできる長さ位置を、前記アームの左右４、５の平行する間隔で、延長アームの左右６−６ａを曲げて連結させて係止部６ｂが設けられ、係止部６ｂの両端部に股がって操作バンド７が回動自在に取り付けられている。
【００２０】  また、軸穴３を支点とするモップ基台１の下位置に下がった軟性部材２の両側に沿って下方を回動する延長された左右のアーム４、５が軟性部材２を覆うた雑巾Ｍを挟み込み係止部６ｂを掛止部８に取り付けることで雑巾Ｍが取り付けられて使用状態になり、掛止部８から係止部６ｂを外すことで、雑巾Ｍの取り外しができるようにされている。
【００２１】  また、図１に示すように、モップ基台１に雑巾Ｍを取り付けたアームの左右４、５の状態は、モップ基台１の下側から長手方向に平行して下がって両端が軸穴３と、掛止部８に対して立ち上がっていることからアームの立ち上がった部分の弾力と、軟性部材２の弾力性で使い古しのタオルの長い部分を折り畳みモップ基台１の長手方向に巾を合わせて本発明のモップ装置に着脱可能にされている。
【００２２】  また、雑巾Ｍを取り付ける際には、モップ装置を逆様にして、アーム４、５を上にして上になった軟性部材２の上面と両側面を雑巾Ｍで覆い、アーム４、５を回動して掛止部８に係止部６ｂを係止させて取り付けられた雑巾Ｍは、軟性部材２を覆った内側部分の以外の両側面の大部分が一度の取り付けで拭き面に使用が可能にされている。
【００２３】  また、軸穴を支点としてモップ基台１から左右に分かれたアーム４、５の回動を制御するストパーが、モップ基台１の長手方向には両側面に軟質材を取り付けた凸条１ａ、１ｂが設けられている。
【００２４】  また、図４に示すように左右のアーム４、５が回動して接続部４ｃ、５ｃ部分がモップ基台１の下側近くなると軸穴３からアームの左右４、５が下方に下がった部分が凸条１ａ、１ｂのストパーに接触してストパーが掛かり、その後はアームの弾力性を有して掛止部８に係止部６ｂが係止されるようになっている。
【００２５】  また、図５に示すように長柄１０と、モップ基台１を寝かすように斜めにして拭き清掃をする時に、拭き面に対してアームが支障を来たさないように凸条１ａ、１ｂの突出部と、軟性部材２の下がった下端の出っ張りにより、アームが拭面に触れないようにされて、凸条１ａ、１ｂが兼用して設けられている。
【００２６】  また、凸条１ａ、１ｂは、軟質材を取り付けてあるが、凸条に形成された上面を覆って設けるか、部分的に軟質材を取り付けても良いかと思はれる。
【符号の説明】
【００２７】１  モップ基台、１ａ  凸、１ｂ  凸条、２  軟性部材、３  軸穴、４  アーム、４ａ  曲がり、４ｂ  曲がり、４ｃ  接続部、５  アーム、５ａ  曲がり、５ｂ  曲がり、５ｃ  接続部、６  延長アーム、６ａ  延長アーム、６ｂ  係止部、６ｃ  延長接続部分、７  操作バンド、８  掛止部、９  軸材、１０  長柄、１０ａ  本部、Ｍ  雑巾、
【図１】
2019013720.tif 000003
【図２】
2019013720.tif 000004
【図３】
2019013720.tif 000005
【図４】
2019013720.tif 000006
【図５】
2019013720.tif 000007
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
モップ基台と、該モップ基台の上部に取り付けられた棒状の長柄と、アームと、板状の軟性部材と、凸条とから構成されているモップ装置であって、前記モップ基台は、一方の端部に両側に貫通した軸穴を有し、反対方向の上面端部に掛止部を有しており、前記軟性部材は、前記モップ基台の下部の開口部に上部を固定されて設けられ、前記アームは、前記軸穴に差し込まれた部分と、前記軸穴に差しこまれた部分の両端からモップ基台の軟性部材側に平行に延びる一対の第１のアームと、前記一対の第１のアームから曲げられて平行に延びる一対の第２のアームと、前記一対の第２のアームの端部に回動自在に接続された一対の延長アームと、前記一対の延長アームの端部が曲げられて連結された、前記掛止部に係止する係止部と、前記係止部の両端部分にまたがって回転自在に設けられた操作バンドとから構成され、前記一対の第１のアームの間隔と、前記一対の第２のアームの間隔と、前記一対の延長アームの間隔は、軟性部材の下面と両側面を覆う雑巾をアームと軟性部材で挟み込むことが可能な間隔であり、前記軟性部材の下面と両側面を覆う前記雑巾を、前記軸穴から前記アームが回動して雑巾を挟み込み前記掛止部に前記係止部を取り付け取り外し自在にすることで雑巾の着脱を可能にさせ、前記モップ基台の両側面に、前記アームが回動する際に前記一対の第１のアームに接触するとともに、清掃する拭き面に対して前記アームが拭き面に触れないようにする凸条のストッパーを形成して設けたことを特徴とするモップ装置。
【手続補正２】
【補正対象書類名】明細書
【補正対象項目名】０００４
【補正方法】変更
【補正の内容】
【０００４】
【特許文献１】特開  ２０１５−１３０９８号広報
【手続補正３】
【補正対象書類名】明細書
【補正対象項目名】０００７
【補正方法】変更
【補正の内容】
【０００７】本発明は、上記の目的を達成するために、モップ基台と、該モップ基台の上部に取り付けられた棒状の長柄と、アームと、板状の軟性部材と、凸条とから構成されているモップ装置であって、前記モップ基台は、一方の端部に両側に貫通した軸穴を有し、反対方向の上面端部に掛止部を有しており、前記軟性部材は、前記モップ基台の下部の開口部に上部を固定されて設けられ、前記アームは、前記軸穴に差し込まれた部分と、前記軸穴に差しこまれた部分の両端からモップ基台の軟性部材側に平行に延びる一対の第１のアームと、前記一対の第１アームから曲げられて平行に延びる一対の第２のアームと、前記一対の第２のアームの端部に回動自在に接続された一対の延長アームと、前記一対の延長アームの端部が曲げられて連結された、前記掛止部に係止する係止部と、前記係止部の両端部分にまたがって回動自在に設けられた操作バンドとから構成され、前記一対の第１アームの間隔と、前記一対の第２のアームの間隔と、前記一対の延長アーム間隔は、軟性部材の下面と両側面を覆う雑巾をアームと軟性部材で挟み込むことが可能な間隔であり、前記軟性部材の下面と両側面を覆う前記雑巾を、前記軸穴から前記アームが回動して雑巾を挟み込み前記掛止部に前記係止部を取り付け取り外し自在にすることで雑巾の着脱を可能にさせ、前記モップ基台の両面に、前記アームが回動する際に前記一対の第１のアームに接触するとともに、清掃する拭き面に対して前記アームが拭き面に触れないようにする凸条のストッパーを形成して設けたものである。